(57)【特許請求の範囲】
【請求項１】
携帯用物入れ等に装着する懸垂帯（１）の長さ調節具（３）を固定部材（４）と可動部材（１２）とで構成し、
固定部材が本体（５）に複数の孔（６，１１）と横棒（７）とピン孔（８）及び窪み（９）を備え、可動部材が本体（１３）に複数の孔（１４，１６）と横棒（１５）及びピン（１７）を備え、ピン孔とピンを組合せ形成したヒンジにより可動部材を固定部材に対し回動自在とし、両部材が閉じた状態で固定部材側の孔（１１）の上面外端が可動部材側の孔（１６）の下面外端に対応し、孔（１１）の上面内端からピン孔方向にかけた底板（８Ａ）上に広がる窪み（９）の上面に孔（１４）の下面内端と横棒（１５）及び孔（１６）の夫々下面が対応する構成としたことを特徴とする懸垂帯の緩み止め付き長さ調節具。
【請求項２】
固定部材側の備えた孔（１１）の上面内端からピン孔方向にかけた底板（８Ａ）上に広がる窪み（９）を、可動部材側の孔（１４）から出た懸垂帯（１）を横棒（１５）の周囲に充分巻き付けるに足る容積としたことを特徴とする請求項１に記載の懸垂帯の緩み止め付き長さ調節具。
【請求項３】
可動部材側の孔（１４，１６）と横棒（１５）に近接して設けた固定部材側の孔（１１）の両端の厚みを懸垂帯（１）を鋭角で折返すことを可能とする薄さとしたことを特徴とする請求項１に記載の懸垂帯の緩み止め付き長さ調節具。
【請求項４】
可動部材側の孔（１６）の上面側を下面側よりも開閉側の先端寄りとして孔内壁に傾斜を付与したことを特徴とする請求項１に記載の懸垂帯の緩み止め付き長さ調節具。
【発明の詳細な説明】
【０００１】
【産業上の利用分野】
本発明は、携帯用物入れ等に装着する懸垂帯の長さ調節具に関する。
【０００２】
【従来の技術】
装飾物を除き体形を利用して装着する物には、リュックサックや水筒やバッグ等の携帯用物入れとズボン吊りがある。何れも不特定の使用者に対応出来るように携帯用懸垂帯には長さ調節具が付属する。この懸垂帯は薄く幅の広い形が多く使われ、材料は物本体で使用する天然か合成の繊維または皮革と同材質でつくられることが多い。
【０００３】
物入れ本体に調節具付き懸垂帯を取り付けるには、物入れ本体の両脇の一方に懸垂帯の一端を固定し、他方にはリングを固定し調節具を通した懸垂帯の他端を通して折り返し、その他端を調節具に固定し調節具とリングとの間に懸垂帯を二重に巡らし、調節具の位置を変えて必要な長さに調節する。
【０００４  】
この調節具は金属か合成樹脂製で日の字の中央横棒を中心に僅かに彎曲させた形を持ち、この中央横棒を懸垂帯の固定に使用し、両端の下面と中央横棒の上面の間に懸垂帯を渡すと彎曲した調節具の中で懸垂帯同士が重なり、テンションが作用すると重なり部分に摩擦力が働いて懸垂帯の緩みを止める構造で、ズボン吊りでは緩み止めの確実性を増す為に爪付きの止め具等を併用する。
【０００５】
【発明が解決しようとする課題】
この調節具は懸垂帯の材料により緩み止めが働かない場合がある。材料が天然か合成の皮革もしくは天然繊維で表面が滑らか過ぎない場合は、重なり部分に充分な摩擦力を得て緩み防止に役立つが、滑らか過ぎたりまた合成繊維の場合には繊維の大小と硬軟と織り方等で、重なり部分に充分な摩擦力が得られず使用中に長さが狂うことがある。
【０００６】
また上着で見えないように隠し使用するズボン吊り等の爪付き止め具は、懸垂帯に働くテンションが軽い場合に使用できるが、バッグ等ではテンションが大きく懸垂帯も大形化して使用に向かない。従って、調節具自体の中に確実な緩み止め機能を持つことが望ましいが満たされてはいない。
【０００７】
【課題を解決するための手段】
本発明は、既述の問題を解決する構造を備えた懸垂帯の長さ調節具の提供を目的とする。
【０００８】
本発明は、携帯用物入れ等に装着する懸垂帯の長さ調節具を固定部材と可動部材とで構成し、
固定部材が本体に複数の孔と横棒とピン孔及び窪みを備え、可動部材が本体に複数の孔と横棒及びピンを備え、ピン孔とピンを組合せて形成したヒンジにより可動部材を固定部材に対し回動自在とし、両部材が閉じた状態で固定部材側の孔の上面外端が可動部材側の孔の下面外端に対応し、孔の上面内端からピン孔方向にかけ底板上に広がる窪みの上面に孔の下面内端と横棒と孔の夫々下面が対応する構成としたことを特徴とする懸垂帯の長さ調節具である。
【０００９】
【発明の実施の形態】
本発明は、複数の孔を備えヒンジからＶ字に開くことが可能な部材で構成した調節具に懸垂帯を通し、その調節具の孔周囲に懸垂帯を折返し折曲げ巻き付け、懸垂帯を緊張すると前記の孔周辺に大きな摩擦力を発生して滑りを防止し、緊張を解除しＶ字に開くと懸垂帯の長さが容易に調節出来る構造とした。
【００１０】
調節具を複数の孔を持つ固定と可動の部材で構成し、両部材を重ねた時に一部の孔が重なるよう固定部材側のピン孔と可動部材側のピンとでヒンジを形成し、固定部材に対し可動部材を回動自在な構成とした。固定部材側の孔は懸垂帯が鋭角で折返し部分では薄めとし折曲げ部分と共に孔周囲に小さな丸みを付与し、その孔の位置により可動部材側の孔を隔てる横棒周囲に懸垂帯を充分に巻き付けることが可能な構造とした。
【００１１】
この構造は、可動部材側の孔を隔てる横棒に対する懸垂帯の巻き付けの長さを大きく採り、この巻き付けの終端から懸垂帯が離れる両端を、固定部材側の孔を利用し逆方向に急檄に折返す為に、懸垂帯にテンションが作用すると、両折返し部分にテンションカツト機能が生まれ、横棒と懸垂帯との間に働く摩擦力とで、調節具に強力な緩み止め機能を与える相乗効果が得られる。
【００１２】
懸垂帯の長さを変える為には調節具の緩み止めを解除し、調節し易いようにに懸垂帯の一部を引き出す必要があるが、懸垂帯を未使用状態に置くとテンションが無くなり調節具の孔の出入口で懸垂帯に緩みが生じ、可動部材を開いて懸垂帯を引き出せば長さは容易に調節することができる。
【００１３】
【作用】
本発明は、調節具をヒンジを内蔵した固定と可動の部材で構成し、両部材の孔を組合せて緩み止めを付与し、可動部材を開いて滑り止めを解除する。
【００１４】
【実施例】
図１は調節具３の単体組立斜視図で、図２（Ａ，Ｂ，Ｃ）は調節具３の断面図と上面図及び底面図を示し、図３（Ａ，Ｂ）は懸垂帯１の両端にリング２を介し間に装着した調節具３の使用と未使用の状態を斜視図で示した。図４（Ａ，Ｂ）は調節具と懸垂帯の関係をモデル的に示し、図５（Ａ，Ｂ，Ｃ）は従来の調節具と懸垂帯の関係を参考としてモデル的に示した。
【００１５】
図１の組立斜視図に示す如く、調節具３は固定部材４と可動部材１２とで構成し、図２（Ａ，Ｂ，Ｃ）の各図に示す様に、固定部材４は本体５の右端に懸垂帯を固定する横棒７，１０と孔６，１１とピン孔８と底板８Ａ及び底板の上に窪み９を備える。各孔の角は僅かな丸みを付すだけに止め、孔１１を境に底板と横棒１０の間に段差を持たせ、懸垂帯を鋭角で折返し折曲げて摩擦力を強めテンションカットに役立つ構造とした。
【００１６】
可動部材１２は本体１３に横棒１５を挟むように孔１４と傾斜付き孔１６及び右端にピン１７を備え、固定部材側のピン孔８とピンを組合せてヒンジとし、固定部材に対し可動部材がＶ字に開くように構成した。組合せにより孔１４，１６は孔１６の下面外端が固定部材側の孔１１の上面外端と対応し、孔１１の上面内端からピン孔にかけて形成した窪み９の上に位置する。
【００１７】
この構造は点線で示す懸垂帯１のルートのように、固定部材側では懸垂帯は孔６で鋭角に折曲がり孔１１で鋭角に折返されて、可動部材側で懸垂帯が孔１４，１６を通り横棒１５の回りに巻き付く際に、固定部材側の底板８Ａ上の窪み９によりループに近い巻き付きが与えられるので、懸垂帯にテンション作用すると巻き付きと折曲がり部分で充分な摩擦力を生じ、巻き付きから折返す部分でテンションカットが働き、双方の効果が優れた緩み止めを発揮する。
【００１８】
図３（Ａ）は懸垂帯１の左端を本体に直接かリング２を介して間接に固定し、右端はリング２を介して懸垂帯１を折返した後に調節具３に固定し、リングと調節具との間に懸垂帯を二重に張り巡らした状態で、固定部材４の孔６，１１から可動部材１２の孔１４，１６を経由して再び固定部材の孔１１に抜けるように懸垂帯を通したテンション作用時の調節具の使用状態を示した。
【００１９】
図３（Ｂ）は懸垂帯１にテンションが作用しない未使用状態を示し、懸垂帯が弛むと可動部材１２はヒンジからＶ字に懸垂帯毎開くことが出来る。その際、引き出された懸垂帯は充分な長さを持つので、懸垂帯の長さを容易に調節することができる。調節を終えた後に可動部材を閉じテンションを掛けると使用状態に戻る。
【００２０】
図４は調節具と懸垂帯との関係をモデル的に示し、同図（Ａ）で使用時の懸垂帯の折返し折曲がり巻き付きと固定の各状態を、同図（Ｂ）で未使用時に懸垂帯の調節の為に緩めた状態を夫々示した。図５（Ａ）で従来型の調節具２１を、同図（Ｂ）で使用状態を、同図（Ｃ）で調節状態を夫々示した。この図で従来型では緩み止めが調節具の中にできる懸垂帯同士の接触による摩擦で成り立つことを示した。
【００２１】
本発明の調節具は合成樹脂を原料とし、金型で細かい部分の丸み等を含めた複雑な形状を一体化して量産成形するので、製造コストが低く納まり本体コストに影響を与えることはない。構造的にもヒンジに過大な力が働くことがなく、角部の丸みにより懸垂帯が傷つくこともない。
【００２２】
【発明の効果】
本発明になる懸垂帯の緩み止め付き調節具の使用により下記の効果を得た。
▲１▼調節具に懸垂帯の折返し折曲がり巻き付きの各部分を内蔵し、摩擦力とテンションカット機能が働く構造としたので、懸垂帯の形状や材質に関わりなく緩み止め効果を発揮した。
▲２▼緩み止め解除は簡単である。
▲３▼金型で量産するので調節具のコストが本体コストに影響を与えない。
▲４▼調節具のヒンジに大きな力が作用することはなく破損の心配がない。
▲５▼懸垂帯の通過ルートの角には丸みを付したので懸垂帯の損傷の心配がない。
【図面の簡単な説明】
【図１】  調節具の単体組立斜視図である。
【図２】  （Ａ，Ｂ，Ｃ）は図１の断面図と上面図及び底面図を示した。
【図３】  （Ａ，Ｂ）は懸垂帯に装着した調節具の使用と未使用の状態を斜視図で示した。
【図４】  調節具と懸垂帯の関係をモデル的に（Ａ）は使用状態を（Ｂ）は調節状態を示した。
【図５】  従来の調節具と懸垂帯の関係を参考としてモデル的に（Ａ）は調節具を（Ｂ）は使用状態を（Ｃ）は調節状態を示した。
【符号の説明】
１  懸垂帯
２  リング
３  開閉具
４  固定部材
５，１３  本体
６，１１，１４，１６  孔
７，１０，１５  横棒
８，１７  ピン孔とピン
８Ａ  底板
９  窪み
１１  抜け止め
１２  可動部材
【図１】
0003670531.tif 000002
【図２】
0003670531.tif 000003
【図３】
0003670531.tif 000004
【図４】
0003670531.tif 000005
【図５】
0003670531.tif 000006